(57)【要約】【課題】  容器本体の排出蓋が開けられた時に、塵埃に触れることなく確実に前記容器本体から前記塵埃を排出することができる電気掃除機の集塵容器を提供する。【解決手段】  電動送風機の作動により空気と共に風路を経て吸引される塵埃を空気から分離して収容すべく掃除機本体に取り外し可能に挿着される電気掃除機の集塵容器２０である。集塵容器２０は、容器本体２２と容器本体２２の開放部２２ａを開閉すべく容器本体２２に設けられた排出蓋２３とを有し、排出蓋２３には、排出蓋２３の開放動作に連動して容器本体２２内の塵埃を掻き出すための排出促進板３２が設けられている。集塵容器２０を取り外して排出蓋２３を開けると、排出促進板３２が集塵容器２０の底部２０ａに溜められた塵埃を掻き出すので塵埃は確実に排出される。【選択図】  図４
2005152380.tif 000002
【特許請求の範囲】
【請求項１】
電動送風機の作動により空気と共に風路を経て吸引される塵埃を前記空気から分離して収容すべく掃除機本体に取り外し可能に挿着される集塵容器であって、
前記塵埃を重力方向に排出する開放部を有する容器本体と、前記開放部を開閉すべく前記容器本体に設けられた排出蓋とを有し、前記排出蓋には、該排出蓋の開放動作に連動して前記容器本体内の前記塵埃を掻き出すための排出促進部材が設けられていることを特徴とする電気掃除機の集塵容器。
【請求項２】
前記容器本体は、前記風路の前記電動送風機側に連通する排出口と、該排出口に対するバイパス路を形成するための副排出口とを備え、前記容器本体内には前記塵埃が前記バイパス路を通過することを阻止するフィルタが設けられ、前記排出促進部材は、前記排出蓋の開放動作との連動により前記フィルタの表面に付着した前記塵埃を掻き落すことを特徴とする請求項１に記載の電気掃除機の集塵容器。
【発明の詳細な説明】
【技術分野】
【０００１】
本発明は、空気と共に吸い込まれた塵埃を空気から分離して集める電気掃除機の集塵容器に関する。
【背景技術】
【０００２】
電気掃除機は、一般的に、吸込口が設けられ該吸込口から風路を経て空気と共に塵埃を吸い込むための電動送風機を有する掃除機本体と、塵埃を捕獲するために風路に挿入される集塵容器とを備える。集塵容器には、風路の吸込口側に導入口が形成され、風路の電動送風機側に排出口が形成されている。
【０００３】
空気と共に吸込まれた塵埃は、風路内に配置された集塵容器を通過するときに、例えば、空気から塵埃が分離するように塵埃に慣性力を生じさせる空気の流れが形成されることで空気から分離される。分離された塵埃は容器本体に溜められ、空気は風路を通り電動送風機により外部へ排出される。
【０００４】
容器本体に溜められた塵埃は、電動送風機に所定の吸引力を発揮させ続けるために捨てる必要があり、このときには塵埃に触れることなく簡単に容器本体から捨てることが衛生上、望ましい。
【０００５】
そこで、掃除機本体から着脱可能な集塵容器に把手を設け、該把手に設けられたボタンの操作により容器本体に設けられた排出蓋を確実に開くことができる集塵容器が提案されている。この集塵容器では、該集塵容器を掃除機本体から取り外し把手のボタンを操作するだけで、塵埃を容器本体から排出するために排出蓋を開放することができる。（例えば、特許文献１参照。）
【特許文献１】特開２００３−１９０９４号公報（第１−５頁、第１図）
【発明の開示】
【発明が解決しようとする課題】
【０００６】
しかしながら、従来よく知られているように、塵埃は綿ゴミ状の圧縮された固まりとなり易く、容器本体の排出蓋が開けられても塵埃の固まりが容器本体の内部に引っ掛り塵埃が落ちてこないことがある。この場合、容器本体の内部に引っ掛った塵埃を手または棒等で掻き出す必要があり、この作業は衛生的とは言えず好ましいことではない。
【０００７】
そこで、本発明の目的は、容器本体の排出蓋が開けられた時に、塵埃に触れることなく確実に容器本体から塵埃を排出することができる電気掃除機の集塵容器を提供することにある。
【課題を解決するための手段】
【０００８】
上記した課題を解決するために、請求項１に記載の電気掃除機の集塵容器は、電動送風機の作動により空気と共に風路を経て吸引される塵埃を前記空気から分離して収容すべく掃除機本体に取り外し可能に挿着される集塵容器であって、前記塵埃を重力方向に排出する開放部を有する容器本体と、前記開放部を開閉すべく前記容器本体に設けられた排出蓋とを有し、前記排出蓋には、該排出蓋の開放動作に連動して前記容器本体内の前記塵埃を掻き出すための排出促進部材が設けられていることを特徴とする。
【発明の効果】
【０００９】
本発明に係る集塵容器によれば、電気掃除機の掃除機本体から取り出して容器本体の排出蓋を開けるだけで確実に容器本体に溜まった塵埃を捨てることができる。すなわち、容器本体の内部に塵埃が引っ掛った場合であっても、排出蓋に設けられた排出促進部材が排出蓋を開けた時に該排出蓋と連動することで塵埃を容器本体から掻き出すので、塵埃は容器本体から確実に取り出される。したがって、容器本体の排出蓋を開けるだけで塵埃に触れることなく確実に容器本体から塵埃を排出することができる。
【発明を実施するための最良の形態】
【００１０】
本発明を図１から図６に示した実施例に沿って詳細に説明する。
【実施例】
【００１１】
図１に示すように、電気掃除機１０は、掃除機本体１１と基端が掃除機本体１１に着脱自在に接続されたホース１２とを有し、ホース１２の先端には手元操作管１３が設けられている。手元操作管１３には延長管１４が着脱自在に接続され、延長管１４の先端には吸込口体１５が着脱自在に接続されている。手元操作管１３には操作部１３ａが設けられており、操作部１３ａには掃除機本体１１の動作を操作する操作スイッチ（図示せず）が設けられている。掃除機本体１１には、後述する電動送風機１９を駆動するために電源（図示せず）に接続されるコード１６が設けられている。
【００１２】
図２に示すように、掃除機本体１１は、開口１７ａを有する本体ケース１７と、開口１７ａから本体ケース１７に着脱自在に収容される集塵容器２０と、本体ケース１７にヒンジ機構で結合され開口１７ａを開閉可能な蓋体１８と、本体ケース１７内の集塵容器２０に連通する電動送風機１９とを有している。集塵容器２０は、把手２１を有し、蓋体１８を開けることで本体ケース１７から取り出すことができる。
【００１３】
図３は取り出された集塵容器２０を示しており、図４は図３に示されたII−II線に沿って得られた断面図である。
【００１４】
集塵容器２０は、図３および図４に示すように、開放部２２ａを有する容器本体２２と容器本体２２の開放部２２ａを閉塞する排出蓋２３とを有する。容器本体２２は、掃除機本体１１にホース１２が取り付けられたときに（図１参照）ホース１２と連通する取付口２４を有する。容器本体２２には、その取付口２４と対向する位置に平坦な壁部２５が設けられている。
【００１５】
壁部２５は閉塞位置にある排出蓋２３と直交するように設けられ、集塵容器２０が本体ケース１７に取り付けられたときに電動送風機１９（図２参照）側に位置する容器本体２２の連通部分２２ｂと容器本体２２の内部２２ｃとを区画している。
【００１６】
壁部２５には、その中央下部に配置され壁部２５を貫通する排出口２６が形成されている。排出口２６は、その横断面が矩形状を呈し、集塵容器２０が本体ケース１７に取り付けられたときに電動送風機１９（図２参照）の吸込口（図示せず）に連通される。取付口２４と排出口２６とは、集塵容器２０内での風路の出入口として機能する。また、壁部２５には、図３に示すように、排出口２６の両側方に配置され壁部２５を貫通する副排出口２７が形成されている。各副排出口２７は、その横断面が縦方向に伸長した矩形状を呈している。
【００１７】
図５は、図３に示されたIII-III線に沿って得られた断面図である。
【００１８】
壁部２５は、図３および図５に示すように、その容器本体２２の内部２２ｃ側に位置する面に一対の仕切り板２８を有する。各仕切り板２８は、閉塞位置にある排出蓋２３と直交し、壁部２５の排出口２６と二つの副排出口２７との間から壁部２５に直角に立ち上がるように設けられている。各仕切り板２８には、図４に示すように、各仕切り板２８の下部に配置され、各仕切り板２８を貫通する通風口２９が形成されている。両通風口２９はその横断面が矩形状を呈している。両通風口２９は、各仕切り板２８と一対の副排出口２７と共に、排出口２６を経る風路部分に対するバイパス路を形成している。両通風口２９には、前記バイパス路を塵埃が通過することを阻止するサイドフィルタ３０が設けられている。
【００１９】
排出蓋２３は、図６に示すように、連通部分２２ｂの下方に設けられたヒンジ３１を介して容器本体２２に取り付けられ、容器本体２２の開放部２２ａを開閉することができる。排出蓋２３にはヒンジ３１と対向する位置に係止部２３ａが設けられ、排出蓋２３が容器本体２２の開放部２２ａを閉塞するように閉められたとき、容器本体２２に設けられた係止片２２ｄと係止部２３ａとが係合することにより、排出蓋２３は容器本体２２の開放部２２ａを閉塞した状態に保持される。
【００２０】
集塵容器２０に取り付けられた把手２１には、図４および図６に示すように、ボタン部２１ａが設けられている。ボタン部２１ａにはロッド２１ｂが取り付けられ、図示はしないがロッド２１ｂの他端は係止片２２ｄに取り付けられ、ボタン部２１ａを押し下げることで、係止片２２ｄと係止部２３ａとの係合を解除できる。
【００２１】
排出蓋２３には、図４ないし図６に示すように、矩形の板状を呈した排出促進部材としての排出促進板３２が設けられている。排出促進板３２は、排出蓋２３が容器本体２２の開放部２２ａを閉塞しているとき、一対の仕切り板２８の間で壁部２５に沿って配置されるように排出蓋２３に取り付けられている。排出促進板３２は、排出蓋２３から垂直に立ち上がるように形成されている。排出促進板３２には、排出蓋２３が容器本体２２の開放部２２ａを閉塞しているときに壁部２５の排出口２６と重なる位置に空気の通過を許す複数の貫通孔３２ａが格子状に形成されている。排出促進板３２には、塵埃が複数の貫通孔３２ａを通過しないようにネットフィルタ３３が取り付けられている。
【００２２】
排出促進板３２の両側辺３２ｂは、排出蓋２３が開放されたときに一対の仕切り板２８に沿って移動する。このとき、一対の仕切り板２８に付着した塵埃を掻き落せるように、排出促進板３２の両側辺３２ｂには、各仕切り板２８に当接する塵落としリップ３４が設けられている。
【００２３】
次に、本実施例の作用について説明する。
【００２４】
電気掃除機１０は、図１、図２に示した手元操作管１３の操作部１３ａを操作して電動送風機１９を動作させると電動送風機１９内が減圧されることにより、電動送風機１９の吸込口（図示せず）から空気が吸い込まれることで、集塵容器２０の容器本体２２内では、取付口２４から排出口２６への風路に空気の流れが生じる。これにより、吸込口体１５から延長管１４、手元操作管１３およびホース１２を通り取付口２４に至る空気の流れが形成され、空気と共に吸引された塵埃が取付口２４から集塵容器２０内に送られる。
【００２５】
集塵容器２０内では、図４に示すように、取付口２４と排出口２６とが作り出す風路により矢印Ａで示す空気の流れが形成され、一部は、矢印Ｂに示すように通風口２９に流れる。取付口２４から集塵容器２０内に進入した塵埃および空気は、従来よく知られているように、集塵容器２０内で下方に向けてほぼ垂直に進み、塵埃は慣性および重力で集塵容器２０の底部２０ａに向かい、一方空気は排出口２６または通風口２９を通って電動送風機１９の吸込口（図示せず）に向かう。これにより、集塵容器２０の底部２０ａには塵埃が溜められる。このとき、軽い塵埃が分離されず空気に連行されて排出口２６または通風口２９に向かったとしても、排出促進板３２の排出口２６に重なる位置にはネットフィルタ３３が配置され、通風口２９にはサイドフィルタ３０が設けられているので、塵埃は排出口２６または通風口２９を通過することはない。また、両通風口２９は、各仕切り板２８と一対の副排出口２７と共に、排出口２６を経る風路部分に対するバイパス路を形成しているため、例えネットフィルタ３３が目詰まりすることにより矢印Ａで示す空気の流れを形成することができなくなっても、矢印Ｂに示すような空気の流れにより電気掃除機１０の吸引力が大幅に低下することなく、集塵容器２０の底部２０ａに塵埃を溜めることができる。
【００２６】
集塵容器２０に溜まった塵埃を捨てるには、本体ケース１７の蓋体１８を開けて（図２参照）本体ケース１７から集塵容器２０を取り出して、集塵容器２０を例えばゴミ箱の上方にもっていく。集塵容器２０の把手２１に設けられた図４に示すボタン部２１ａを押し下げるとロッド２１ｂが押し下げられ、ロッド２１ｂが係止片２２ｄの係止部２３ａとの係合を解除することで排出蓋２３は自重によりヒンジ３１の揺動方向に沿って回動し、図６に示すように、容器本体２２の開放部２２ａが開放する。排出蓋２３が回動すると排出蓋２３に設けられた排出促進板３２も排出蓋２３と一体に回動し、この回動時に排出促進板３２の前面が集塵容器２０の底部２０ａに溜まった塵埃を押し出しながら集塵容器２０の底部２０ａを移動するので、集塵容器２０に溜まった塵埃は確実に掻き出される。このとき、排出促進板３２に設けられた両塵落としリップ３４が一対の仕切り板２８に当接したまま移動することで、両仕切り板２８、特に両仕切り板２８に設けられた両サイドフィルタ３０に付着した塵埃も確実に掻き落とされる。また、排出蓋２３を開放することにより集塵容器２０の下部が開放されるので、排出促進板３２により集塵容器２０から排出された塵埃は、重力に従って下方へ自然落下し、例えば、下方に置かれたゴミ箱の中に捨てることができる。このとき、塵埃は自然落下方向へ集塵容器２０の開放部２２ａから押し出されることから、塵埃が排出促進板３２により勢いよく集塵容器２０から排出されても、塵埃はそのまま下方へ自然落下するので、散らばることはない。
【００２７】
このことから、排出蓋２３を開放させる動作時に、集塵容器２０に溜まった塵埃は排出促進板３２により確実に排出され、且つ両仕切り板２８および両サイドフィルタ３０に付着した塵埃は両塵落としリップ３４により掻き落とされる。
【００２８】
また、集塵容器２０の排出蓋２３を開ける度に両塵落としリップ３４がサイドフィルタ３０の塵埃を掻き落とすので、サイドフィルタ３０は目詰まりしにくくなり、サイドフィルタ３０の寿命を延ばすことができる。
【００２９】
したがって、本発明に係る電気掃除機の集塵容器２０では、把手２１に設けられたボタン部２１ａを押し下げるだけで、集塵容器２０に溜まった塵埃を人手により掻き出すことなく確実に排出することができる。
【００３０】
なお、両塵落としリップ３４は、両仕切り板２８と当接して集塵容器２０の排出蓋２３を開ける度に両仕切り板２８およびサイドフィルタ３０に付着した塵埃を掻き落とすことができるものであればよい。例えば、排出促進板３２の両側辺３２ｂに短い毛を隙間なく設けてもよく、両側辺３２ｂに沿って排出促進板３２から突起するハケを設けてもよい。両塵落としリップ３４は、両仕切り板２８と当接したまま移動するので、両仕切り板２８よりも柔らかい部材で形成することが望ましい。
【００３１】
また、上記した実施例では、排出促進板３２には、塵埃が貫通孔３２ａを通過することを防ぐためにネットフィルタ３３が設けられていたが、排出促進板３２は集塵容器２０の底部２０ａに溜められた塵埃を掻き出せばよく、ネットフィルタ３３を設けなくてもよい。この場合には、塵埃が排出口２６を通過してしまうので排出口２６にネットフィルタ３３を設けることが望ましい。
【００３２】
排出促進板３２の貫通孔３２ａは、排出口２６への空気の通過を許し塵埃を掻き出すことができればよく、排出促進板３２の形状は上記した実施例に限られるものではない。例えば、排出促進板３２の貫通孔３２ａの形状を複数の横断面が円形の貫通孔として形成してもよく、排出促進板３２を熊手のように縦に伸長する複数の棒をもつように形成してもよい。
【００３３】
電気掃除機１０は集塵容器２０内で空気の流れを鉛直方向で下方に向けることにより空気から塵埃を分離していたが、例えば、集塵容器２０内で塵埃を含んだ空気を渦状に流すことで塵埃に遠心力を生じさせて塵埃と空気とを分離するサイクロン式の電気掃除機１０でもよく、上記した実施例に限定されるものではない。
【００３４】
両通風口２９に設けられたサイドフィルタ３０は、通風口２９を覆うように仕切り板２８に取り付けてもよく、通風口２９に嵌合するように設けてもよい。しかしながら、両塵落としリップ３４は、両仕切り板２８と当接したまま移動することで両仕切り板２８およびサイドフィルタ３０に付着した塵埃を掻き落すので、この掻き落しの効率を高めるために仕切り板２８とサイドフィルタ３０とが両塵落としリップ３４と当接する側で面一に設けられていることが望ましい。
【００３５】
集塵容器２０の排出蓋２３は、電気掃除機１０に収容されているときには鉛直方向下方に位置していたが、上記した実施例に限定されるものではない。例えば、排出蓋を容器本体２２の側方に設け、排出蓋から直角方向に伸長するように排出促進部材を設けていても、塵埃を集塵容器２０から排出するときに下方に位置していればよい。
【図面の簡単な説明】
【００３６】
【図１】本発明に係る集塵容器を備えた電動掃除機の斜視図である。
【図２】本発明に係る集塵容器が取り付けられた掃除機本体の側面図である。
【図３】本発明に係る集塵容器の斜視図である。
【図４】図３に示したII−II線に沿って得られた断面図である。
【図５】図３に示したIII−III線に沿って得られた断面図である。
【図６】図４に示した集塵容器の排出蓋が開かれた状態を示す断面の概略図である。
【符号の説明】
【００３７】
１０  電気掃除機
１１  掃除機本体
１９  電動送風機
２０  集塵容器
２２  容器本体
２２ａ  開放部
２３  排出蓋
２６  排出口
２７  副排出口
３０  サイドフィルタ
３２  （排出促進部材としての）排出促進板
【図１】
2005152380.tif 000003
【図２】
2005152380.tif 000004
【図３】
2005152380.tif 000005
【図４】
2005152380.tif 000006
【図５】
2005152380.tif 000007
【図６】
2005152380.tif 000008